(57)【要約】【課題】桟型フェライト磁性体の設置を高精度かつ確実にする電波吸収パネルとその施工法を提供する。【解決手段】本発明の電波吸収パネルとその施工法は、電波反射板７とその前面に配置される桟型フェライト磁性体１及び桟型フェライト磁性体の外面を被覆する保護部材２から構成される電波吸収パネル４において、予め形成して成る保護部材２の装着溝３に桟型フェライト磁性体１を設置することを特徴としており、桟型フェライト磁性体を高精度かつ確実に設置して、荷重の集中を阻止すると共に構造を総体的に簡潔にして製造コストを削減している。【選択図】  図１
2005019588.tif 000002
【特許請求の範囲】
【請求項１】
電波反射板と該電波反射板の前面に配置される桟型フェライト磁性体及び該桟型フェライト磁性体の外面を被覆する保護部材から構成される電波吸収パネルであって、予め形成して成る保護部材の装着溝に桟型フェライト磁性体を設置することを特徴とする電波吸収パネル。
【請求項２】
桟型フェライト磁性体の保護部材に所定深さの装着溝を規定の間隔で形成して置き、該保護部材の装着溝に桟型フェライト磁性体を設置して、しかる後に、桟型フェライト磁性体の後面に電波反射板を配置する電波吸収パネルの施工法。
【請求項３】
保護部材が、所定深さの装着溝を規定の間隔で形成した配列版として構成されることを特徴とする請求項２に記載の電波吸収パネルの施工法。
【発明の詳細な説明】
【０００１】
【発明の属する技術分野】
本発明は、電波吸収パネルとその施工法に関し、特に、桟型フェライト磁性体の設置を高精度かつ確実にする電波吸収パネルとその施工法に関する。
【０００２】
【従来の技術】
テレビ電波の反射障害は、影響する地域が遠距離、かつ広範囲になることから電波を反射させずに吸収する対策として電波吸収パネルを採用していた。（例えば、特許文献１を参照）
【０００３】
従来の電波吸収パネルは、例えば、８×１７×１００ｍｍの桟型フェライト磁性体を電波反射板の前面に長手方向に連続的に並べて構成する列を一定周期に配列しながら、全面を厚さ３ｍｍのガラス繊維補強プラスチック板（以下、ＧＦＲＰと称する。）で保護することで構成していたが、構造的に補強する必要があることや個々の桟型フェライト磁性体に接着材を付けて並べることは施工効率を極めて悪くすることからコストアップの要因となっていた。
【０００４】
一方、施工効率を改善するために、図４に例示するようにポリ塩化ビニール（以下、ＰＶＣと称する。）から成る厚さ０．５ｍｍで長さ１０００ｍｍのコ字型枠もしくは角筒５を予め製作しておいて、これに桟型フェライト磁性体１を挿入することで１ｍ単位で扱えるようにして、その前面をＧＦＲＰ製の保護板６で被覆して水分の浸入を防止しており、その後面に電波反射板７を配置してコンクリート基盤８と一体にすることで電波吸収パネル９を構成している。尚、両端部に位置する桟型フェライト磁性体は、防水材１０で封鎖されることで水分の浸入を防止している。
【０００５】
しかるに、この改善策は、コ字型枠もしくは角筒５内の桟型フェライト磁性体１が、接着材で拘束されていないことから下方にその重量を集中させて下部の桟型フェライト磁性体を破壊させたり、桟型フェライト磁性体１が不透水性のＰＶＣで覆われているために侵入した水でその性能を劣化させる要因になっていた。
【０００６】
【特許文献１】
特開２００２−１１５３４５号公報、（段落符号「００１８」〜「００２０」末行、「００３３」〜「００３９」末行、図１、３、４）
【０００７】
【発明が解決しようとする課題】
本発明は、上記の問題点に鑑みてその解消のために提案するものであり、桟型フェライト磁性体の設置を高精度かつ確実にすることで、構造を総体的に簡潔にして製造コストを削減する電波吸収パネルとその施工法を提供している。
【０００８】
【課題を解決するための手段】
本発明による電波吸収パネルは、電波反射板とその前面に配置される桟型フェライト磁性体及び桟型フェライト磁性体の外面を被覆する保護部材から構成される電波吸収パネルにおいて、予め形成して成る保護部材の装着溝に桟型フェライト磁性体を設置することを特徴としており、桟型フェライト磁性体を高精度かつ確実に設置して、荷重の集中を阻止すると共に構造を総体的に簡潔にして製造コストを削減している。
【０００９】
又、本発明による電波吸収パネルの施工法は、桟型フェライト磁性体の保護部材に所定深さの装着溝を規定の間隔で形成して置いて、保護部材の装着溝に桟型フェライト磁性体を設置し、しかる後に、桟型フェライト磁性体の後面に電波反射板を配置することを基本にし、保護部材を所定深さの装着溝を規定の間隔で形成した配列版として構成することを特徴としており、桟型フェライト磁性体を高精度かつ確実に設置して製造コストを削減している。
【００１０】
【発明の実施の形態】
本発明による電波吸収パネルは、電波反射板とその前面に配置される桟型フェライト磁性体及び桟型フェライト磁性体の外面を被覆する保護部材から構成されており、予め形成して成る保護部材の装着溝に桟型フェライト磁性体を高精度かつ確実に設置している。
以下に、本発明による電波吸収パネルの実施の形態を、図面に基づいて詳細に説明するが、理解を容易にするために、従来と同様の部位については同一の符号で表示している。
【００１１】
図１は、本発明による電波吸収パネルの実施の形態を示す断面図（ａ）と部分断面の正面図（ｂ）である。
本発明による電波吸収パネルの実施の形態では、電波吸収パネル４は、断面図（ａ）のように直方体の桟型フェライト磁性体１を電波反射板７の上に配置することで構成されている。
【００１２】
本実施の形態の桟型フェライト磁性体１は、厚み８ｍｍ、高さ１７ｍｍ及び長さ１００ｍｍに形成された直方体のフェライト磁性体であり、長手方向が同一方向になるように所定の間隔で並行に配列することで、入射する電波の磁界方向は、桟型フェライト磁性体２の長手方向と一致しており、電波の電界方向は、桟型フェライト磁性体１の長手方向と直交している。
【００１３】
配列された桟型フェライト磁性体１は、その前面をＧＦＲＰ製の保護板２で被覆することによって水分の浸入を防止すると共に、両端部の桟型フェライト磁性体１を防水材１０で封鎖することで、電波吸収パネル４は防水状態に構成されている。
【００１４】
図２は、本発明の電波吸収パネル４に採用する保護板２と他の構成部材との関係を詳細に示している。
本実施の形態では、桟型フェライト磁性体１の全面を厚さ３ｍｍのＧＦＲＰ製の保護板２で封鎖している。保護板２の内側には、桟型フェライト磁性体１の列を一定周期に配列する装着溝３を所定間隔に設けており、この装着溝３に桟型フェライト磁性体１を接着配置するだけで、桟型フェライト磁性体１は、長手方向に連続的に並べる列を一定周期に配列されて、高精度かつ確実に固定されることになる。
【００１５】
しかして、桟型フェライト磁性体１の後面には、電波反射板７が配置しながらコンクリート基盤８を一体にして電波吸収パネル４を構成しているので、桟型フェライト磁性体１の荷重は、下方で集中するのを阻止されると共に、構造を総体的に簡潔にして製造コストを削減することができる。
【００１６】
次に、本発明による電波吸収パネルの施工法について説明する。
本発明による電波吸収パネルの施工法は、桟型フェライト磁性体の保護部材に所定深さの装着溝を規定の間隔で形成して置いて、保護部材の装着溝に桟型フェライト磁性体を設置し、しかる後に、桟型フェライト磁性体の後面に電波反射板を配置しており、保護部材を所定深さの装着溝を規定の間隔で形成した配列版として構成することを特徴としている。
以下に、本発明による電波吸収パネルの施工法を、図３の実施の形態を示す工程図面に基づいて詳細に説明する。
【００１７】
本実施の形態における施工法は、桟型フェライト磁性体１を被覆するＧＦＲＰ製保護板２の内側に桟型フェライト磁性体１の装着溝３を形成して置き、この保護板２を図３（ａ）に示すように装着溝３を上向きにして型枠１１の底部に配置する。
【００１８】
次いでの工程は、図３（ｂ）のように保護板２の装着溝３に接着剤１２を塗布しながら、桟型フェライト磁性体１を順次に装備して行くものであり、桟型フェライト磁性体１と保護板２とを正規の位置に高精度で固定している。
【００１９】
そして、図３（ｃ）のように安定的に固定された桟型フェライト磁性体１の上面に接着剤１３を一斉に塗布するもので、この上に電波反射板７を敷設するのを次いでの工程にしている。これによって、桟型フェライト磁性体１、保護板２及び電波反射板７は、堅固に一体化させることができると共に、その位置関係は、簡単な作業の下に高精度に確立されている。
次いで、電波反射板７には、コンクリート基盤８と一体に結合させる段階に備えて、アンカー等の結合部材を適宜に配置させる。
【００２０】
次工程は、図３（ｄ）のように型枠と電波反射板７に上にコンクリート基盤８を打設するものであり、これに継続させて所定の養生を経ることで電波吸収パネル４を脱型する。しかして、電波吸収パネル４は、周辺端の桟型フェライト磁性体１を防水材１０で封鎖することによって、防水状態に構成されることになる。
【００２１】
尚、上記実施の形態では、保護板とするためにＧＦＲＰ製にしているが、表面を保護する必要のない電波吸収パネルの場合にあっては、保護板に換えて所定深さの装着溝を規定の間隔で形成したＰＶＣ製の配列版を構成することで、桟型フェライト磁性体の位置関係を簡単な作業の下に高精度に確立することも可能である。
【００２２】
以上のように、本発明による電波吸収パネルの施工法は、実施の形態のように構成されることで、桟型フェライト磁性体を高精度かつ確実に設置して製造コストの削減を達成している。
【００２３】
以上、本発明による電波吸収パネルとその施工法を、上記実施の形態に基づいて詳細に説明したが、本発明は、これらの実施の形態に何ら限定されるものでなく、その具体的な形状や材質等に関しては、発明の主旨を逸脱しない範囲において各種の変更が可能であることは当然のことである。
【００２４】
【発明の効果】
本発明による電波吸収パネルは、電波反射板とその前面に配置される桟型フェライト磁性体及び桟型フェライト磁性体の外面を被覆する保護部材から構成される電波吸収パネルにおいて、予め形成して成る保護部材の装着溝に桟型フェライト磁性体を設置することを特徴としているので、桟型フェライト磁性体を高精度かつ確実に設置して、荷重の集中を阻止すると共に構造を総体的に簡潔にして製造コストを削減できる効果を発揮している。
【００２５】
又、本発明による電波吸収パネルの施工法は、桟型フェライト磁性体の保護部材に所定深さの装着溝を規定の間隔で形成して置いて、保護部材の装着溝に桟型フェライト磁性体を設置し、しかる後に、桟型フェライト磁性体の後面に電波反射板を配置することを基本にして、保護部材を所定深さの装着溝を規定の間隔で形成した配列版として構成することを特徴としているので、桟型フェライト磁性体を高精度かつ確実に設置して製造コストを削減できる効果を発揮している。
【図面の簡単な説明】
【図１】本発明による電波吸収パネルの実施の形態を示す断面図（ａ）と正面図（ｂ）
【図２】本発明の電波吸収パネルに採用する保護板の実施の形態図
【図３】本発明による電波吸収パネルの施工法に関する実施の形態を示す工程図
【図４】従来の電波吸収パネル図
【符号の説明】
１  桟型フェライト磁性体、  ２  保護板、  ３  装着溝、
４  電波吸収パネル、  ５  角筒、  ６  保護板、  ７  電波反射板、
８  コンクリート基盤、  ９  電波吸収パネル、  １０  防水材、
１１  型枠、  １２、１３  接着剤、
【図１】
2005019588.tif 000003
【図２】
2005019588.tif 000004
【図３】
2005019588.tif 000005
【図４】
2005019588.tif 000006